(57)【特許請求の範囲】
【請求項１】
撮像装置付き携帯端末に装着される光学部材であって、
前記撮像装置のレンズに装着されるカメラ用プリズムと、前記撮像装置の発光部に装着される発光部用プリズムと、を備え、
前記カメラ用プリズムは、前記撮像装置のレンズの光軸方向が前記携帯端末の一面と直交するとき、前記携帯端末の一面に装着される装着面と、前記携帯端末外部から前記レンズの光軸方向に対して傾斜する方向から光が入射される第１面と、前記入射された光を前記レンズの光軸方向と平行な方向に反射して前記レンズに入射させる第２面と、を有し、
前記発光部用プリズムは、前記撮像装置の発光部の光軸方向が前記携帯端末の一面と直交するとき、前記携帯端末の一面に装着される装着面と、前記発光部から出射した光を前記装着面へ反射する第２面と、前記装着面で反射された光を前記発光部の光軸方向に対して傾斜する方向へ出射する第１面と、を有し、
前記カメラ用プリズム及び前記発光部用プリズムは、縦方向に隣り合っており、
前記発光部用プリズムの前記第１面から出射される光及び前記カメラ用プリズムの前記第１面から入射される光は互いに略平行であり、且つ夫々の前記第２面と互いに略平行であることを特徴とする光学部材。
【請求項２】
前記第２面は、鏡面として形成されていることを特徴とする請求項１に記載の光学部材。
【請求項３】
前記発光部用プリズムの前記第１面に樋形状の凸レンズが設けられていることを特徴とする請求項２に記載の光学部材。
【請求項４】
前記発光部用プリズムの前記第２面のうち前記第１面に近い領域が、低反射面として形成されていることを特徴とする請求項１乃至請求項３のいずれか一項に記載の光学部材。
【請求項５】
前記発光部用プリズムの前記装着面は、前記発光部から放射状に出射される光の一部を遮蔽して線状の光を出射するスリットと、前記スリットから出射される光を赤色光にする赤色フィルタと、を有することを特徴とする請求項１乃至請求項４のいずれか一項に記載の光学部材。
【請求項６】
前記装着面のうち前記レンズ及び前記発光部と相対する領域には、偏光透過性が互いに直交する偏光フィルタが夫々に設けられていることを特徴とする請求項１乃至請求項５のいずれか一項に記載の光学部材。
【請求項７】
携帯端末と前記装着面との間に取り付けられ、前記発光部から出射された光を一部透過させるスリット孔と、該スリット孔を透過した光を遮らない傾斜面と、を持つ光学補助部材を更に有することを特徴とする請求項１乃至請求項６のいずれか一項に記載の光学部材。
【請求項８】
請求項１乃至請求項７のいずれか一項に記載の光学部材を備えたことを特徴とする撮像装置付き携帯端末。
【発明の詳細な説明】
【技術分野】
【０００１】
本発明は、バーコードの読み取りに用いられる撮像装置付き携帯端末に装着される光学部材、及びそれを備えた撮像装置付き携帯端末に関する。
【背景技術】
【０００２】
縞模様状の線の太さ等によって数値や文字を表す識別情報、いわゆるバーコードは、市場に流通する商品等の識別コードとして広く使用されている。例えば、コンビニエンスストアやスーパーマーケット等においては、バーコードを読み取るために専用のバーコードリーダが用いられ、商品の売り上げ情報等の収集管理に利用されている。
【０００３】
また、近年では、通信販売の商品カタログや、インターネット上のホームページのアドレス（ＵＲＬ）を掲載した雑誌等にも、商品注文コードやＵＲＬに対して割り当てたバーコードを付記して、ユーザが商品の注文や、ホームページへのアクセス等を容易にすることができるようにしたサービスも提供されている。
【０００４】
この種のサービスの普及に伴い、バーコードの読み取りは、専用のバーコードリーダのみならず、撮像装置付き携帯端末、いわゆるカメラ機能付きスマートフォンにより行われるようになっている（例えば、特許文献１参照）。ユーザは、スマートフォンのカメラを用いてバーコードを撮像すると、スマートフォンに搭載されたアプリケーションにより、撮像画像からバーコードの識別コードが読み出される。
【先行技術文献】
【特許文献】
【０００５】
【特許文献１】特開２００６−８１０８７号公報
【発明の概要】
【発明が解決しようとする課題】
【０００６】
ところで、図１５（ａ）に示すように、一般的な専用のバーコードリーダ１０１は、ユーザの持ち手となる本体部分に対して、撮像素子の受光部（レンズ１０２）が斜め前方に傾斜するように設計されている。このような設計とすることで、ユーザは、バーコードリーダ１０１のレンズ１０２とバーコードＢＣとの互いの位置関係を把握し易くなるので、撮像画像が表示されていなくても、レンズ１０２を適切にバーコードＢＣの方向に向けることができる。
【０００７】
これに対して、一般的なスマートフォンでは、カメラのレンズの光軸が、レンズが配置されたスマートフォンの一面と直交するように設計されている。この設計によれば、図１５（ｂ）に示すように、ユーザは、スマートフォン１０３のカメラのレンズ１０４を、バーコードＢＣに正対するように配置しなければ、バーコードＢＣを適切に撮影することができず、撮像画像からバーコードＢＣの識別コードを上手く読み出せないことがある。
【０００８】
そのため、特にバーコードの読み取りが頻繁に行われるコンビニエンスストアやスーパーマーケット等においては、依然として専用のバーコードリーダが用いられ、スマートフォンは、専用のバーコードリーダに代替させるには使い勝手が悪かった。
【０００９】
本発明は、上記課題を解決するものであり、スマートフォンといった撮像装置付き携帯端末において、専用のバーコードリーダに代替し得る使い勝手の良さを実現するための光学部材及びそれを備えた撮像装置付き携帯端末を提供することを目的とする。
【課題を解決するための手段】
【００１０】
上記課題を解決するため、本発明は、撮像装置付き携帯端末に装着される光学部材であって、前記撮像装置のレンズに装着されるカメラ用プリズムと、前記撮像装置の発光部に装着される発光部用プリズムと、を備え、前記カメラ用プリズムは、前記撮像装置のレンズの光軸方向が前記携帯端末の一面と直交するとき、前記携帯端末の一面に装着される装着面と、前記携帯端末外部から前記レンズの光軸方向に対して傾斜する方向から光が入射される第１面と、前記入射された光を前記レンズの光軸方向と平行な方向に反射して前記レンズに入射させる第２面と、を有し、前記発光部用プリズムは、前記撮像装置の発光部の光軸方向が前記携帯端末の一面と直交するとき、前記携帯端末の一面に装着される装着面と、前記発光部から出射した光を前記装着面へ反射する第２面と、前記装着面で反射された光を前記発光部の光軸方向に対して傾斜する方向へ出射する第１面と、を有し、前記カメラ用プリズム及び前記発光部用プリズムは、縦方向に隣り合っており、前記発光部用プリズムの前記第１面から出射される光及び前記カメラ用プリズムの前記第１面から入射される光は互いに略平行であり、且つ夫々の前記第２面と互いに略平行であることを特徴とする。
【００１２】
上記光学部材において、前記第２面は、鏡面として形成されていることが好ましい。
【００１４】
上記光学部材において、前記発光部用プリズムの前記第１面に樋形状の凸レンズが設けられていることが好ましい。
【００１５】
上記光学部材において、前記発光部用プリズムの前記第２面のうち前記第１面に近い領域が、低反射面として形成されていることが好ましい。
【００１６】
上記光学部材において、前記発光部用プリズムの前記装着面は、前記発光部から放射状に出射される光の一部を遮蔽して線状の光を出射するスリットと、前記スリットから出射される光を赤色光にする赤色フィルタと、を有することが好ましい。
【００１８】
上記光学部材において、前記装着面のうち前記レンズ及び前記発光部と相対する領域には、偏光透過性が互いに直交する偏光フィルタが夫々に設けられていることが好ましい。
【００１９】
上記光学部材において、携帯端末と前記装着面との間に取り付けられ、前記発光部から出射された光を一部透過させるスリット孔と、該スリット孔を透過した光を遮らない傾斜面と、を持つ光学補助部材を更に有することが好ましい。
【００２０】
上記光学部材は、撮像装置付き携帯端末に備えられることが好ましい。
【発明の効果】
【００２１】
本発明によれば、光学部材は、携帯端末の撮像装置のレンズの光軸方向を、傾斜した方向とすることができるので、光学部材を装着した携帯端末の本体部分をユーザの持ち手としたとき、この持ち手に対して、撮像装置のレンズの光軸方向が、実質的に斜め方向に傾斜するようなる。従って、ユーザはレンズの光軸方向と被写体（バーコード）との互いの位置関係を把握し易くなり、携帯端末においても、専用のバーコードリーダに代替し得る使い勝手の良さを実現することができる。
【図面の簡単な説明】
【００２２】
【図１】（ａ）は本発明の第１の実施形態に係る光学部材とそれを備えたカメラ付スマートフォンの裏面を示す正面図、（ｂ）は上記光学部材とスマートフォンの側面図。
【図２】図１（ｂ）の一点鎖線で囲われた領域の拡大図。
【図３】上記光学部材を装着したスマートフォンの使用状態を示す側面図。
【図４】（ａ）は上記光学部材をスマートフォンに取り付けるためのクリップケースを示す側面図、（ｂ）は（ａ）の上面図。
【図５】（ａ）は本発明の第２の実施形態に係る光学部材とそれを備えたカメラ付スマートフォンの裏面を示す正面図、（ｂ）は上記光学部材の拡大図。
【図６】（ａ）は上記光学部材の斜視図、（ｂ）は（ａ）の側面図。
【図７】上記光学部材を装着したスマートフォンの使用状態を示す側面図。
【図８】上記実施形態の変形例に係る光学部材を示す正面図。
【図９】図８に示した光学部材をスマートフォンに装着した状態の上面図。
【図１０】上記実施形態の別の変形例に係る光学部材を示す正面図。
【図１１】（ａ）は本発明の第３の実施形態に係る光学部材とそれを備えたカメラ付スマートフォンの裏面を示す正面図、（ｂ）は上記光学部材の拡大図。
【図１２】図１１（ｂ）の一点鎖線で囲われた領域の拡大図。
【図１３】本発明の第４の実施形態に係る光学部材とそれを備えたカメラ付スマートフォンの側面を示す拡大側面図。
【図１４】（ａ）は上記光学部材と共にスマートフォンに取り付けられる光学補助部材を示す正面図、（ｂ）は（ａ）のＡ−Ａ線側断面図。
【図１５】（ａ）は専用のバーコードリーダの使用状態を示す側面図、（ｂ）は従来のスマートフォンの使用状態を示す側面図。
【発明を実施するための形態】
【００２３】
本発明の第１の実施形態に係る光学部材について、図１乃至図３を参照して説明する。図１（ａ）（ｂ）に示すように、本実施形態の光学部材１は、撮像装置付き携帯端末に装着される。なお、以下の説明では、本実施形態における撮像装置付き携帯端末が、図示したようなスマートフォン２であるものとする。ただし、撮像装置付き携帯端末は、バーコードを撮像することができ、且つ撮像画像から識別コードを読み出すアプリケーションを実行することができる端末であればよく、例えば、小型ＰＣ、タブレット端末、デジタルカメラ等であってもよい。
【００２４】
スマートフォン２は、バーコード等の被写体を撮像するカメラ３と、カメラフラッシュとして機能する発光部４と、カメラ３で撮像された画像を表示する表示部５（図１（ｂ）参照）と、を有する。表示部５は、スマートフォン２の本体の一面に設けられている。カメラ３は、表示部５が設けられた一面（表面）の反対側の一面（裏面）の端部に設けられている。
【００２５】
カメラ３は、外部の光を取り込むレンズ３１と、ＣＭＯＳセンサ等の撮像素子（不図示）と、レンズ３１から撮像素子に取り込まれる光量を調整等する光学系機構（不図示）と、を有する。レンズ３１の光軸方向Ｌａは、レンズ３１が配置されたスマートフォン２の裏面と直交している。発光部４は、スマートフォン２の本体のうち、カメラ３と隣接する位置に設けられている（図１（ａ）参照）。なお、レンズ３１は、後述する図９に示すように、スマートフォン２の裏面に形成された窪み３２に嵌装され、窪み３２には防水防塵用のレンズカバー３３（斜線のハッチングで示す）が設けられている。ただし、以下の説明では、窪み３２及びレンズカバー３３の記述を省略し、単にレンズ３１のみを表示する。
【００２６】
図２に示すように、光学部材１は、スマートフォン２の一面に装着される装着面１０と、スマートフォン２外部からレンズ３１の光軸方向Ｌａに対して傾斜する方向Ｌｂから光が入射される第１面１１と、入射された光をレンズ３１の光軸方向Ｌａと平行な方向に反射してレンズ３１に入射させる第２面１２と、を有する。第１面１１及び第２面１２は互いに略直角を成し、装着面１０は、第１面１１及び第２面１２の成す角の対辺に位置する。すなわち、光学部材１は、上記第１面１１、第２面１２、装着面１０、及び略直角三角形の側面１３，１４から構成される５面体の三角プリズムである。なお、第１面１１、第２面１２及び装着面１０は、いずれも正面視矩形である。光学部材１は、透光性樹脂材料又はガラス等により形成され、好ましくは、透光性が高く、耐衝撃性に優れたアクリル樹脂により形成される。
【００２７】
第１面１１は、第２面１２より小さく、三角プリズムを構成する上記３面の中で最も小さな面である。第１面１１及び第２面１２の成す角θは略直角なので、第１面１１と装着面１０との成す角θ１は、第２面１２と装着面１０との成す角θ２よりも大きくなる。なお、略直角とは９０°±５°の範囲を言うものとする。角θが９０°であるとき、角θ１は６０°、角θ２は３０°であることが好ましい。なお、角θ１及び角θ２も、角θの角度に応じて±５°の範囲で調整され得る。第１面１１は、レンズ３１の光軸方向Ｌａに対して傾斜する方向Ｌｂから入射される光を入射する。すなわち、第１面１１は、バーコードといった被写体に向けられて、被写体から届いた光を光学部材１内に取り込む入射面として機能する。
【００２８】
装着面１０は、三角プリズムを構成する上記３面の中で最も大きな面である。装着面１０は、レンズ３１が配置されたスマートフォン２の一面（裏面）と対向し、且つ第１面１１から入射した光を第２面１２へ反射する。光学部材１は、装着面１０のうち第２面１２に近い領域がレンズ３１と対向するように、また、第１面１１に近い領域が、スマートフォン２の端部又はその外側に位置するように、スマートフォン２に装着される。このような配置によれば、光学部材１の第１面１１に対して直交する方向で入射した光は、装着面１０に入射する。このとき、装着面１０に入射する光の入射角は、第１面１１と装着面１０との成す角θ１と概ね一致する。従って、光学部材１を構成する透光性材料が、例えば、アクリル樹脂（屈折率１．４９）であり、角θ１が６０°であれば、装着面１０に入射する光の入射角は、臨界角以上となり、装着面１０に入射する光は、装着面１０を透過することなく全反射する。
【００２９】
第２面１２は、装着面１０により反射された光をレンズ３１の光軸方向Ｌａと平行な方向に反射する。三角プリズムを構成上、第２面１２に入射する光の入射角は、臨界角を越えず、第２面１２に入射する光を全反射させられないことがあり得る。そのため、第２面１２は、入射光を確実に反射するため、鏡面として形成されていることが好ましい。鏡面は光反射性樹脂又は金属等を塗布又は蒸着等させることにより形成される。このように、光学部材１は、レンズ３１の光軸方向Ｌａに対して傾斜する方向Ｌｂから第１面１１に入射される光を、装着面１０及び第２面１２で夫々反射させることで、レンズ３１の光軸方向Ｌａと平行な方向に反射して、レンズ３１に入射させることができる。
【００３０】
本実施形態の光学部材１によれば、レンズ３１の光軸方向を、実質的に光軸方向Ｌａに対して傾斜した方向Ｌｂに変換することができる。そのため、図３に示すように、光学部材１を装着したスマートフォン２は、本体部分をユーザの持ち手としたとき、この持ち手に対して、カメラ３のレンズ３１の光軸方向Ｌａが、実質的に斜め前方（方向Ｌｂ）に傾斜するようになる。従って、ユーザは、レンズ３１の光軸方向（Ｌｂ）と被写体であるバーコードＢＣとの互いの位置関係を把握し易くなり、スマートフォン２のような携帯端末においても、図１５（ｂ）に示した専用のバーコードリーダに代替し得る使い勝手の良さを実現することができる。なお、図３のバーコードＢＣは、斜視的に図示している。
【００３１】
また、光学部材１は、入射光を装着面１０及び第２面１２で２度反射させて、カメラ３のレンズ３１に取り込むので、撮像された画像において被写体（バーコードＢＣ）の上下が反転せず、ユーザが目視した対象物と同じ対象物を撮像することができる。また、光学部材１には、直角三角プリズムを用いることができ、安価で簡易な構成により、スマートフォン２を、専用のバーコードリーダのように使い易くすることができる。
【００３２】
上記実施形態の変形例について、図４（ａ）（ｂ）を参照して説明する。この変形例は、光学部材１をスマートフォン２に装着させるためのクリップケース６を備えたものである。クリップケース６は、第２面１２及び側面１３、１４を覆うケース本体６１と、第１面１１の正面に設けられた開口部６２と、ケース本体６１の両側部から延設されたクリップ部６３と、を有する。少なくともクリップ部６３は所定のバネ弾性を有し、ケース本体６１及びクリップ部６３により、スマートフォン２の本体が挟持されることで、光学部材１及びクリップケース６自体をスマートフォン２に保持させる。
【００３３】
本発明の第２の実施形態に係る光学部材について、図５乃至図７を参照して説明する。図５（ａ）（ｂ）に示すように、本実施形態の光学部材１は、レンズ３１から発光部４に跨って装着可能なように構成されている。一般的なスマートフォン２では、本体の長手方向を縦方向としたときに、カメラフラッシュとして機能する発光部４が、カメラ３のレンズ３１と横方向に隣り合う位置に設けられている。そのため、上記実施形態における光学部材１について、側面１３，１４の形状を変えることなく、第１面１１、第２面１２、装着面１０を夫々幅広に形成することで、レンズ３１及び発光部４の両方に被るように光学部材１を形成することができる。
【００３４】
本実施形態の光学部材１によれば、図６（ｂ）に示すように、発光部４から出射した光が、第２面１２、装着面１０により反射及び全反射されて、第１面１１から出射される。そのため、スマートフォン２におけるバーコードの撮像に際して、バーコードにフラッシュ光を照射することができ、暗所条件でもバーコードを撮像することができ、また、ユーザが撮像方向を視認し易くなる。
【００３５】
また、本実施形態において、図６（ａ）（ｂ）に示すように、光学部材１は、第１面１１に樋形状の凸レンズ１５が設けられている。凸レンズ１５は、幅広となった第１面１１の短手方向に沿う断面において、凸状となるように配置されている。また、凸レンズ１５の光軸Ｌｃは、第１面１１の法線と一致している。また、光軸Ｌｃは、上述した光軸方向Ｌａに対して傾斜した方向Ｌｂとも概ね一致している。凸レンズ１５は、光学部材１と同じ屈折率を有する透光性材料により形成されている。凸レンズ１５は、光学部材１と一体的に形成されていてもよし、光学部材１とは別部材として形成されて、光学部材１と同じ屈折率を有する透光性接着剤により第１面１１に接着されていてもよい。
【００３６】
この構成によれば、第１面１１から入射される光は、凸レンズ１５により、光軸Ｌｃと平行な方向に集光される。従って、スマートフォン２の本体部分をユーザの持ち手としたとき、上下（前後）方向には光が放射されず、左右方向に帯長の光が照射され、一般的に横長形状であるバーコードの読み取りに適した光を出射することができる。
【００３７】
また、第２面１２のうち第１面１１に近い領域が、低反射面１２ａとして形成されている。低反射面１２ａは、例えば、第２面１２の一部に黒色のアクリル塗装がなされることにより、この領域に入射した光を実質的に反射しない構成とされる。
【００３８】
この構成によれば、発光部４から放射状に出射される光のうち、第１面１１に近い領域に出射された光は、低反射面１２ａにより殆ど反射されないので、第１面１１からも出射されない。従って、スマートフォン２の本体部分をユーザの持ち手としたとき、上（前）方向に迷光（図中の点線矢印）が放射されず、バーコードの読み取りに適した光を出射することができる。
【００３９】
また、図５（ｂ）及び図６（ｂ）に示したように、光学部材１の装着面１０は、発光部４から放射状に出射される光の一部を遮蔽して線状の光を出射するスリット７１と、スリット７１から出射される光を赤色光にする赤色フィルタ７２と、を有する。スリット７１は、例えば、幅の狭い溝が開いた不透明なシート部材を発光部４と正対する位置に貼付する、又は上記低反射面１２ａと同様に、装着面１０のうち発光部４と正対する位置に、狭い隙間を開けて黒色のアクリル塗装がなされることにより形成される。
【００４０】
この構成によれば、図７に示すように、スマートフォン２の本体部分をユーザの持ち手としたとき、左右方向に線状に伸びる赤い光ＲＬが照射されるので、スマートフォン２のような携帯端末においても、専用のバーコードリーダにより代替し得る使い勝手の良さを実現することができる。
【００４１】
上記実施形態の変形例について、図８及び図９を参照して説明する。本変形例では、光学部材１は、装着面１０が、発光部４とレンズ３１の間に相対する領域に遮光部１６を有する。発光部４から広角に出射された光の一部（図中の実線矢印で示す）が、光学部材１で反射されて、レンズ３１に入射すると、ハレーションを起こして、カメラ３がバーコードを適切に撮像できないことがある。その場合、撮像画像からバーコードの識別コードを上手く読み出せないことになる。そこで、本変形例では、発光部４とレンズ３１の間に相対する領域に遮光部１６を設けて、発光部４から広角に出射された光の一部が、光学部材１で反射することを防止し、ハレーションの発生を抑制することができる。
【００４２】
上記実施形態の別の変形例について、図１０を参照して説明する。本変形例では、光学部材１の装着面１０のうちレンズ３１及び発光部４と相対する領域には、偏光透過性が互いに直交する偏光フィルタ１６ａ、１６ｂが夫々に設けられている。この構成によれば、発光部４から偏光フィルタ１６ｂを透過した光は、仮に光学部材１やバーコード等の被写体によって反射されても、偏光フィルタ１６ｂと偏光透過性が直交する偏光フィルタ１６ａを透過することができないので、レンズ３１には入光せず、ハレーションの発生を抑制することができる。
【００４３】
また、本変形例についても、図５で示したスリット７１及び赤色フィルタ７２を用いた構成を適用して、図７で示したような線状の赤色光を出射させることができる。なお、この赤色光は、ユーザに対して撮像範囲を分かり易く表示するものであり、スマートフォン２におけるバーコードの読み取りは、撮像画像から識別コードを読み出すアプリケーションを実行することで行われる。従って、一般的な専用のバーコードリーダとは異なり、発光部４から入射される光の反射光がレンズ３１に取り込まれなくても、バーコードの読み取りに支障が生じることはない。
【００４４】
なお、本実施形態及び各変形例に係る光学部材１は、いずれも図４で示したクリップケース６と同様のクリップケース（不図示）により、スマートフォン２に装着される。
【００４５】
本発明の第３の実施形態に係る光学部材について、図１１及び図１２を参照して説明する。図５等に示した上記第２の実施形態では、発光部４が、カメラ３のレンズ３１と横方向に隣り合う位置に設けられているスマートフォン２に装着される光学部材１を示した。これに対して、本実施形態では、図１１（ａ）（ｂ）に示すように、発光部４が、カメラ３のレンズ３１と縦方向に隣り合う位置に設けられているスマートフォン２に、光学部材１が装着されることを想定している。
【００４６】
本実施形態の光学部材１は、カメラ用プリズム１ｃと、発光部用プリズム１ｆと、を有する。図１２に示すように、カメラ用プリズム１ｃは、図１等で示した上記第１の実施形態の光学部材１と実質的に同じであり、装着面１０ｃと、レンズ３１の光軸方向Ｌａに対して傾斜する方向Ｌｂから光が入射される第１面１１ｃと、入射された光をレンズ３１の光軸方向Ｌａと平行な方向に反射してレンズ３１に入射させる第２面１２ｃと、側面１３ｃ，１４ｃと、を有する。
【００４７】
発光部用プリズム１ｆは、装着面１０ｆと、発光部４の光軸方向Ｌｄから入射した光を反射する第２面１２ｆと、第２面１２ｆにより反射された光を光軸方向Ｌａに対して傾斜する方向Ｌｂへ出射する第１面１１ｆと、側面１３ｆ，１４ｆと、を有する。なお、発光部４の光軸方向Ｌｄは、カメラ３のレンズ３１の光軸方向Ｌａと平行である。第１面１１ｆには、上記第１の実施形態と同様に、第１面１１ｆの法線と一致する光軸Ｌｃを有する凸レンズ１５が設けられている。ここでも光軸Ｌｃは、上述した光軸方向Ｌａに対して傾斜した方向Ｌｂとも概ね一致している。なお、発光部用プリズム１ｆ及びカメラ用プリズム１ｃの幅は、発光部４及びカメラ３のレンズ３１の径に夫々対応している。一般的なスマートフォンでは、光を出射する発光部４の径は、光を集光するカメラ３のレンズ３１の径よりも小さいので、図１１（ａ）に示したように、発光部用プリズム１ｆの幅は、カメラ用プリズム１ｃの幅よりも小さくなっている。
【００４８】
本実施形態では、発光部４から出射した光が、発光部用プリズム１ｆにより、第２面１２ｆ、装着面１０ｆにより反射及び全反射されて、第１面１１ｆから出射されるので、バーコードにフラッシュ光を照射することができる。また、レンズ３１の光軸方向Ｌａに対して傾斜する方向Ｌｂかカメラ用プリズム１ｃの第１面１１ｃに入射した光を、装着面１０ｃ及び第２面１２ｃで夫々反射させることで、レンズ３１の光軸方向Ｌａと平行な方向に反射して、レンズ３１に入射させ、これにより、バーコードを撮影することができる。すなわち、本実施形態では、発光部４とカメラ３のレンズ３１とが縦並びのスマートフォン２にも対応することができる。
【００４９】
本発明の第４の実施形態に係る光学部材について、図１３及び図１４を参照して説明する。図１３に示すように、本実施形態の光学部材１は、スマートフォン２と光学部材１の装着面１０（装着面１０ｃ、１０ｆ）との間に取り付けられて発光部４から出射された光を遮らない光学補助部材８を更に有する。なお、ここでは、図１１等に示した上記第３の実施形態のように、発光部４とカメラ３のレンズ３１とが縦並びのスマートフォン２に、光学部材１が装着される構成例を示すが、発光部４とカメラ３のレンズ３１とが横並びであってもよい。
【００５０】
図１４（ａ）（ｂ）に示すように、光学補助部材８は、所定の厚みを有する矩形の平板状部材であり、正面に発光部用プリズム１ｆ及びカメラ用プリズム１ｃが夫々装着され、背面がカメラ３のレンズ３１及び発光部４と対向する。光学補助部材８の正面には、発光部用プリズム１ｆ及びカメラ用プリズム１ｃが嵌め込まれる装着凹部８１が設けられ、背面には、スマートフォン２の背面との間に隙間を形成する背面凹部８２が設けられる。
【００５１】
背面凹部８２のうちカメラ３のレンズ３１と正対する位置、及び発光部４と正対する位置には、夫々装着凹部８１に向けて貫通する貫通穴８３、８４が設けられている。レンズ３１側の貫通穴８３は、背面凹部８２から装着凹部８１に向けて径が変わらない円筒形状の丸穴である。一方、発光部４側の貫通穴８４は、背面凹部８２側に形成されたスリット状のスリット孔８４ａと、装着凹部８１に向けて開口幅をテーパ状に広げる傾斜面８４ｂと、を有する。また、発光部４側の貫通穴８４には、図８で示したように、赤色フィルタ７２が設けられている（図１３参照）。スリット孔８４ａは、発光部４から出射された光を一部透過させ、傾斜面８４ｂは、スリット孔８４ａを透過した光を遮らないように構成されている。
【００５２】
図８で示したように、スリット７１を設けた場合、スリット７１が設けられた部材の厚さが大きいと発光部４から出射した光をスリット７１の壁面が遮光するので、光学部材１に取り込まれる光が少なくなり、バーコードに照射される光の光量が少なくなる。これに対して、本実施形態では、発光部４側の貫通穴８４のスリット孔８４ａから出射された光が、傾斜面８４ｂにより遮られないため、光学補助部材８の厚さが増加してもフラッシュ光の光量を高く保つことができる。また、光学補助部材８は、装着凹部８１により、発光部用プリズム１ｆ及びカメラ用プリズム１ｃが別部材であっても、それらを一体的に保持するこができる。また、一部のスマートフォンでは、カメラ３のレンズ３１がスマートフォン２の背面よりも突出していることがある。本実施形態では、光学補助部材８の背面凹部８２によって、スマートフォン２の背面と光学補助部材８（光学部材１）との間に隙間が設けられるので、光学部材１を取り付け易くすることができる。
【００５３】
なお、本発明は、上記実施形態に限らず、種々の変形が可能である。例えば、上記第２の実施形態において、光学部材１が、レンズ３１及び発光部４の両方に被るように一体形成された例を示したが、上記第１の実施形態で示したような光学部材１が、レンズ３１及び発光部４の夫々に個別に横並びに装着されてもよい。また、図４で示したクリップケース６は、光学部材１をスマートフォン２に装着するための一例に過ぎない。例えば、光学部材１の装着面１０の第１面１１側の端部からフック状の装着部材を立設させ、この装着部材が光学部材１と一体形成されていてもよい。
【符号の説明】
【００５４】
１    光学部材
１ｃ    カメラ用プリズム
１ｆ    発光部用プリズム
１０、１０ｃ、１０ｆ    装着面
１１、１１ｃ、１１ｆ    第１面
１２、１２ｃ、１２ｆ    第２面
１２ａ    低反射面
１５    凸レンズ
１６    遮光部
１６ａ  偏光フィルタ
１６ｂ    偏光フィルタ
２    スマートフォン（携帯端末）
３    カメラ（撮像装置）
３１    レンズ
４    発光部
７１    スリット
７２    赤色フィルタ
８    光学補助部材
８４ａ    スリット孔
８４ｂ    傾斜面
Ｌａ    レンズの光軸方向
Ｌｂ    レンズの光軸方向に対して傾斜する方向
【図１】
0006568834.tif 000002
【図２】
0006568834.tif 000003
【図３】
0006568834.tif 000004
【図４】
0006568834.tif 000005
【図５】
0006568834.tif 000006
【図６】
0006568834.tif 000007
【図７】
0006568834.tif 000008
【図８】
0006568834.tif 000009
【図９】
0006568834.tif 000010
【図１０】
0006568834.tif 000011
【図１１】
0006568834.tif 000012
【図１２】
0006568834.tif 000013
【図１３】
0006568834.tif 000014
【図１４】
0006568834.tif 000015
【図１５】
0006568834.tif 000016